(57)【特許請求の範囲】
【請求項１】
車両内の電子制御装置に記憶された故障コードに基づいて故障診断を行うための電子マニュアルを表示する電子マニュアル表示方法であって、
前記電子マニュアルの表示を制御する電子マニュアル制御装置は、
前記故障コードに対応する故障の概要を表示する故障概要表示領域と、
前記故障コードが検知される検知範囲の対象部品の電気的接続関係を示す回路図を表示する検知範囲表示領域と、
前記故障コードに対応付けられる前記検知範囲内の点検作業項目を前記対象部品毎に分類するとともに最小の作業項目に区分して選択肢として選択可能に表示する点検部位表示領域と
を一括表示する点検作業選択画面と、
前記作業項目毎に対応する点検作業内容の詳細説明を表示する点検作業説明画面とを有しており、
前記点検作業選択画面において前記選択肢の１つが選択されると、前記選択肢に対応する前記点検作業説明画面を表示装置に表示させる
ことを特徴とする電子マニュアル表示方法。
【請求項２】
請求項１に記載の電子マニュアル表示方法において、
前記点検作業説明画面は、
前記選択された作業項目に関する測定作業の作業要点及び測定されたデータの判定基準を並べて一括して表示する作業内容表示領域と、
前記判定基準が満たされない場合の修理作業の内容を表示する修理作業表示領域と
を含むことを特徴とする電子マニュアル表示方法。
【請求項３】
車両内の電子制御装置に記憶された故障コードに基づいて故障診断を行うための電子マニュアルの表示を制御する電子マニュアル制御装置であって、
前記電子マニュアル制御装置は、
前記故障コードに対応する故障の概要を表示する故障概要表示領域と、
前記故障コードが検知される検知範囲の対象部品の電気的接続関係を示す回路図を表示する検知範囲表示領域と、
前記故障コードに対応付けられる前記検知範囲内の点検作業項目を前記対象部品毎に分類するとともに最小の作業項目に区分して選択肢として選択可能に表示する点検部位表示領域と
を一括表示する点検作業選択画面と、
前記作業項目毎に対応する点検作業内容の詳細説明を表示する点検作業説明画面とを有しており、
前記点検作業選択画面において前記選択肢の１つが選択されると、前記選択肢に対応する前記点検作業説明画面を表示装置に表示させる
ことを特徴とする電子マニュアル制御装置。
【発明の詳細な説明】
【技術分野】
【０００１】
本発明は、車両内の電子制御装置に記憶された故障コードに基づいて故障診断を行うための電子マニュアルを表示する電子マニュアル表示方法及び電子マニュアル制御装置に関する。
【背景技術】
【０００２】
車両の電子制御装置（ＥＣＵ）に異常が発生した場合、異常症状、警告灯の点灯等を運転者が認識し、販売店又は整備工場に車両を持ち込むことによって、この異常症状又は警告灯の点灯に関連した故障診断が行われる。修理担当者（テクニシャン）は、故障車両のＥＣＵに記憶された故障発生時の故障コード（ＤＴＣ）を故障診断機により読み出すことで故障内容を把握することが可能である。
【０００３】
そして、故障診断を行うに際して、予めサービスマニュアル等を参照して、故障コードに対応する診断作業手順を故障診断機のモニタ画面に順次表示するようにすれば、経験の浅いテクニシャンであっても比較的容易に故障箇所を発見することが可能になる（特許文献１、特許文献２）。
【０００４】
しかしながら、そのような技術では作業指示が順次画面に表示されるため、一連の診断作業における「現在指示されている作業」の位置付け又はその作業の目的、意味等が把握し難いという問題がある。さらには、画面の指示に従って順次作業を進めれば対応可能なため、場当たり的な診断になり易くなる。このため、経験の浅いテクニシャンにとっての作業経験の学習効果を期待するには適切なツールと言えないという問題があった。
【０００５】
これに対して、特許文献３では、故障内容に対応して必要な診断項目全体のフローチャート１２０を含む全体作業表示領域１１４と、個々に表示される具体的作業内容を示す具体的作業表示領域１１６とを並べて、現在表示されている作業内容と、その作業内容が全工程のどの診断項目の部分であるかを、作業内容毎に順次同時に切り替えて表示する（要約、図３〜図７）。これにより、表示されている作業の位置付けを対比確認しながら診断作業を行うことができる（［００１１］）。全体作業表示領域１１４及び具体的作業表示領域１１６は、ＥＣＵ２０から読み出した故障コード（ＤＴＣ）に対応して選択される（要約）。
【先行技術文献】
【特許文献】
【０００６】
【特許文献１】特開平０５−１８０７３１号公報
【特許文献２】特開２００１−１５４７２５号公報
【特許文献３】特開２０１２−０９３３０８号公報
【発明の概要】
【発明が解決しようとする課題】
【０００７】
上記のように、特許文献３の全体作業表示領域１１４は、ＤＴＣに応じた診断作業項目の全体を示し、また、具体的作業表示領域１１６は、診断作業全体に含まれる個別の作業項目の具体的作業内容を示す。従って、特許文献３では、全体作業表示領域１１４を用いて作業項目の全体を把握することができるものの、全ての個別作業の内容を診断手順に沿って順に確認しないと、全体の作業内容の概要を把握することができないという問題があった。また、特許文献３では、手順が決められているため、スキルの高い作業者が、その経験や知識を活かして、個別作業に優先順位をつけた不具合箇所の絞り込み（例えば、不具合箇所と直感できる場所を優先した点検作業の選択実行）を行うことができないという問題があった。
【０００８】
本発明は、上記のような事情を考慮したものであり、故障診断に当たって必要な作業工程、工数及び難易度を大まかに把握すること、及び実際の作業効率を大きく改善可能な電子マニュアル表示方法及び電子マニュアル制御装置を提供することを目的とする。
【課題を解決するための手段】
【０００９】
本発明に係る電子マニュアル表示方法は、車両内の電子制御装置に記憶された故障コードに基づいて故障診断を行うための電子マニュアルを表示する電子マニュアル表示方法であって、
前記電子マニュアルの表示を制御する電子マニュアル制御装置は、
前記故障コードに対応する故障の概要を表示する故障概要表示領域と、
前記故障コードが検知される検知範囲を図示にて表示する検知範囲表示領域と、
前記故障コードに対応付けられる前記検知範囲内の点検作業項目を最小の作業項目に区分して選択肢として選択可能に表示する点検部位表示領域と
を一括表示する点検作業選択画面と、
前記作業項目毎に対応する点検作業内容の詳細説明を表示する点検作業説明画面と
を有しており、
前記点検作業選択画面において前記選択肢の１つが選択されると、前記選択肢に対応する前記点検作業説明画面を表示装置に表示させる
ことを特徴とする。
【００１０】
本発明によれば、点検作業選択画面において、故障コードに対応する故障の概要と、前記故障コードが検知される検知範囲の図と、故障コードに対応し且つ検知範囲内の点検作業項目を最小の作業項目に区分した複数の選択肢とを表示する。このため、故障コードに対応する点検作業の概要を速やかに理解させるための情報項目を、１つの画面上にまとめて表示できる。故障コードは、数百を超える多数が存在しており、故障コードやその名称だけでは、プロフェッショナルでも判断できない。本発明によれば、ユーザ（修理担当者としてのテクニシャン）は、通常故障コードだけでは認識し難い対象部品やその作業の概要を、画面を一瞥することで素早く認識可能となる。従って、ユーザは、故障コードに対応する故障診断に必要な作業工程、工数及び難易度を大まかに把握することができ、修理時間又は見積もりを顧客に対して速やかに提示することが可能となる。
【００１１】
また、故障コードに対応付けられ且つ検知範囲の図中の各部品に関して区分された複数の点検作業の選択肢を、最小の点検作業単位で、ユーザが選択可能に表示する。このため、ユーザは、故障の原因箇所の点検作業を最小の点検作業単位で予め認識することができる。従って、ユーザは、通常の常識的な点検作業順に拘泥することなく、個々のスキル又は知見を活かして、独自に点検作業手順を決めることができ、顧客情報等を踏まえた臨機応変な診断作業を行うことが可能になる。よって、故障診断の作業効率を大きく改善可能となる。
【００１２】
前記検知範囲表示領域は、前記検知範囲の対象部品の電気的接続関係を示す回路図であり、前記点検部位表示領域は、前記作業項目を前記対象部品毎に分類して表示してもよい。これにより、ユーザは、点検作業選択画面において、故障コードに対応する、対象部品レベルでの最小の点検作業単位で点検作業を選択することができ、当該回路における故障発生箇所を推定し易くなり、特にスキルの高いユーザにとっては、故障発生箇所の絞り込みが容易となる。
【００１３】
前記点検作業説明画面は、
前記選択された作業項目に関する測定作業の作業要点及び測定されたデータの判定基準を一括して表示する作業内容表示領域と、
前記判定基準が満たされない場合の修理作業の内容を表示する修理作業表示領域と
を含んでもよい。
【００１４】
これにより、選択された作業項目に関する測定作業の作業要点及び測定されたデータの判定基準を並べる等によって一括して表示するため、ユーザは、選択された作業項目の作業内容を一見して把握することと、判定基準が満たされない場合の修理作業の内容を直ちに認識することができる。
【００１５】
本発明に係る電子マニュアル制御装置は、車両内の電子制御装置に記憶された故障コードに基づいて故障診断を行うための電子マニュアルの表示を制御するものであって、
前記電子マニュアル制御装置は、
前記故障コードに対応する故障の概要を表示する故障概要表示領域と、
前記故障コードが検知される検知範囲を図示にて表示する検知範囲表示領域と、
前記故障コードに対応付けられる前記検知範囲内の点検作業項目を最小の作業項目に区分して選択肢として選択可能に表示する点検部位表示領域と
を一括表示する点検作業選択画面と、
前記作業項目毎に対応する点検作業内容の詳細説明を表示する点検作業説明画面と
を有し、
前記点検作業選択画面において前記選択肢の１つが選択されると、前記選択肢に対応する前記点検作業説明画面を表示装置に表示させる
ことを特徴とする。
【発明の効果】
【００１６】
本発明によれば、故障コードに基づく診断作業での点検箇所特定が容易になり、故障診断の作業効率を改善可能となる。また、故障コード毎に検知範囲が表示されて最小の作業項目が把握できるため、使用するユーザにとって作業選択の判断経験を通じてのスキルアップの効果を得ることができる。
【図面の簡単な説明】
【００１７】
【図１】本発明の一実施形態に係る電子マニュアル制御装置としての演算部を含む電子マニュアル表示システムの概略的な構成を示す図である。
【図２】前記実施形態の点検作業選択画面の第１例を示す図である。
【図３】前記実施形態の点検作業説明画面の第１例を示す図である。
【図４】前記実施形態の前記点検作業説明画面の第２例を示す図である。
【図５】前記実施形態の前記点検作業選択画面の第２例を示す図である。
【図６】前記実施形態の前記点検作業説明画面の第３例を示す図である。
【図７】前記実施形態の前記点検作業説明画面の第４例を示す図である。
【図８】前記実施形態において電子マニュアルを実際に利用する際の全体的な流れを示すフローチャートである。
【図９】前記実施形態の前記電子マニュアルにおける画面の移り変わりを説明する図である。
【発明を実施するための形態】
【００１８】
Ａ．一実施形態
＜Ａ−１．構成＞
［Ａ−１−１．全体構成］
図１は、本発明の一実施形態に係る電子マニュアル制御装置としての演算部３６を含む電子マニュアル表示システム１０（以下「システム１０」又は「表示システム１０」とも称する。）の概略的な構成を示す図である。システム１０は、車両８０の整備及び診断を行う際の電子マニュアル９０（図９）を表示させるためのシステムである。
【００１９】
システム１０は、複数の販売店端末１２（以下「端末１２」ともいう。）と、サーバ１４とを有する。端末１２は、サービス拠点としての複数の車両販売店Ａ、Ｂ（以下「販売店Ａ、Ｂ」ともいう。）に配置される。サーバ１４は、管理センターＣに配置される。本実施形態において、各端末１２とサーバ１４は、通信ネットワーク２０を介して通信可能である。
【００２０】
［Ａ−１−２．販売店端末１２］
販売店Ａ、Ｂには、整備又は診断の目的で顧客８２が自らの車両８０を持ち込む。販売店端末１２は、販売店Ａ、Ｂにおける作業者８４（テクニシャン）等が、車両８０（完成品）の整備又は診断を行うため電子マニュアル９０を参照する際に用いられる。
【００２１】
図１に示すように、端末１２は、信号入出力部３０と、通信部３２と、操作入力部３４と、演算部３６と、記憶部３８と、モニタ４０と、スピーカ４２とを有する。信号入出力部３０は、端末１２と外部機器との間で信号の入出力を行う。通信部３２は、通信ネットワーク２０を介してサーバ１４と通信する。通信部３２を信号入出力部３０の一部と位置付けてもよい。操作入力部３４（操作入力装置）は、作業者８４等のユーザが入出力を行う機器であり、例えば、キーボードとマウスを有する。
【００２２】
演算部３６は、端末１２の各部を制御して種々の処理を実行する。本実施形態の演算部３６は、操作入力部３４からの入力に基づいて記憶部３８から電子マニュアル９０（図９）のデータＤｍ（以下「マニュアルデータＤｍ」ともいう。）を読み出して、モニタ４０に表示させる。また、演算部３６は、通信部３２及びネットワーク２０を介してサーバ１４から最新のマニュアルデータＤｍを取得する。本実施形態では、マニュアルデータＤｍは、マニュアルファイルＦｍの形式で利用される。
【００２３】
記憶部３８（記憶装置）は、演算部３６で用いる制御プログラム等の各種のプログラム及びデータを記憶する。ここにいうデータには、複数の車種に対応する複数のマニュアルデータＤｍ（マニュアルファイルＦｍ）が含まれる。記憶部３８は、複数のマニュアルデータＤｍ（マニュアルファイルＦｍ）を蓄積したマニュアルデータベース５０（以下「マニュアルＤＢ５０」という。）を備える。
【００２４】
各マニュアルデータＤｍは、概要説明画面データＤ１及び点検作業説明画面データＤ２を含む。概要説明画面データＤ１は、点検作業選択画面１００（図２及び図５）に関するデータである。点検作業説明画面データＤ２は、点検作業説明画面２００（図３、図４、図６及び図７）に関するデータである。
【００２５】
概要説明画面データＤ１は、車両情報Ｉｖ、ＤＴＣ情報Ｉｄｔｃ、検知範囲情報Ｉｄａ、点検部位情報Ｉｔｐ及び故障再現手法情報Ｉｒを含む。点検作業説明画面データＤ２は、車両情報Ｉｖ、ＤＴＣ情報Ｉｄｔｃ、作業条件情報Ｉｃ、作業要点情報Ｉｐ、判定基準情報Ｉｓ及び修理作業情報Ｉｒｐを含む。これらの情報の詳細については後述する。
【００２６】
モニタ４０（表示装置）は、演算部３６からの指令に基づいて電子マニュアル９０（図９）等を表示する。スピーカ４２は、演算部３６からの指令に基づいて電子マニュアル９０の表示に伴う音を出力する。
【００２７】
端末１２のハードウェア構成としては、例えば、デスクトップ型又はノート型パーソナルコンピュータとすることができる。或いは、市販のタブレット型コンピュータ又はスマートフォンを用いてもよい。なお、図１では、販売店Ａの端末１２のみ内部構成を示しているが、販売店Ｂの端末１２、さらには図示しない他の販売店に適宜設けられるそれぞれの端末も同様の構成を有する。
【００２８】
なお、端末１２を車両８０の故障診断機として用いる場合、端末１２の通信部３２は、車両８０の電子制御装置８６（以下「ＥＣＵ８６」という。）との通信が可能な構成（データリンクコネクタ、通信ケーブル等）を有してもよい。また、図１では、１つのＥＣＵ８６のみを示しているが、車両８０は、故障診断の対象となる複数のＥＣＵ８６を有している。
【００２９】
［Ａ−１−３．サーバ１４］
サーバ１４は、システム１０全体を管理するものであり、各販売店Ａ、Ｂの端末１２に対して最新のマニュアルファイルＦｍを提供する。サーバ１４は、端末１２と同様、信号入出力部、通信部、操作入力部、演算部、記憶部、モニタ及びスピーカ（いずれも図示せず）を備える。サーバ１４の記憶部は、最新のマニュアルファイルＦｍを蓄積したマニュアルデータベースを有する。
【００３０】
＜Ａ−２．電子マニュアルの構成内容＞
まず電子マニュアルファイルＦｍに含まれる各画面の構成内容について説明する。その後、電子マニュアルを利用した作業手順の全体的な流れについて説明する。
【００３１】
［Ａ−２−１．各画面の説明］
本実施形態では、電子マニュアルを構成する画面として、点検作業選択画面１００（図２、図５）と、この選択画面１００中で選択された結果として表示される点検作業説明画面２００（図３、図４、図６及び図７）とが個別に表示される（図９）。
【００３２】
（Ａ−２−１−１．第１故障事例）
以下では、第１故障事例として、ＤＴＣ「Ｐ１１１１」（ワイパ信号エラー）が検出された場合を説明する。
【００３３】
（Ａ−２−１−１−１．点検作業選択画面１００）
（Ａ−２−１−１−１−１．点検作業選択画面１００の概要）
図２は、本実施形態の点検作業選択画面１００の第１例を示す図である。図２の点検作業選択画面１００は、図示しないワイパへの入力信号（以下「ワイパ信号」という。）にエラーが生じた場合の点検作業を選択するための画面である。以下では、図２の点検作業選択画面１００を特に点検作業選択画面１００ａ又は選択画面１００ａともいう。
【００３４】
図２の選択画面１００には、点検作業の選択に必要となる情報を一括して表示した画面全体が示されており、モニタ４０においても全体が示される。しかしながら、モニタ４０ではその一部のみが表示され、スクロールにより全体が表示されるように構成してもよく、この場合の「画面」は、モニタ４０に表示されている領域と、モニタ４０に表示されていない領域（スクロールにより表示可能な領域）とを含む。
【００３５】
図２に示すように、点検作業選択画面１００は、車両情報表示領域１１０と、ＤＴＣ表示領域１１２と、ＤＴＣ表示領域１１２に表示されたＤＴＣに対応する故障の概要を表示する故障概要表示領域１１４と、ＤＴＣが検知される検知範囲を図示にて表示するＤＴＣ検知範囲表示領域１１６と、検知範囲内の点検作業項目を最小の作業項目に区分して選択肢として選択可能に表示する点検部位表示領域１１８と、故障再現手法表示領域１２０とを含む。
【００３６】
（Ａ−２−１−１−１−２．車両情報表示領域１１０）
車両情報表示領域１１０（以下「車両情報領域１１０」ともいう。）は、診断の対象となる車両８０に関する情報としての車両情報Ｉｖを表示する領域である。車両情報Ｉｖには、車両８０の名称（車名）及び型式が含まれる。図２及び図５では、車名が「ＸＸＸＸ」として簡略化して表示され、型式が「ＸＸＸＸＸＸＸ」として簡略化して表示されている。或いは、車両情報Ｉｖには、年式（２０１６年版等）及び仕向地（日本等）等のその他の情報を含んでもよい。
【００３７】
（Ａ−２−１−１−１−３．ＤＴＣ表示領域１１２）
ＤＴＣ表示領域１１２（以下「ＤＴＣ領域１１２」ともいう。）は、ＤＴＣ自体及びＤＴＣの名称（ＤＴＣ名）を表示する領域である。ＤＴＣ及びＤＴＣ名は、ＤＴＣに関する情報としてのＤＴＣ情報Ｉｄｔｃに含まれる。図２では、「Ｐ１１１１」がＤＴＣであり、「ワイパ信号エラー」がＤＴＣ名である。
【００３８】
（Ａ−２−１−１−１−４．故障概要表示領域１１４）
故障概要表示領域１１４は、ＤＴＣに対応する故障の概要を表示する領域である。故障の概要は、ＤＴＣ情報Ｉｄｔｃに含まれる。図２では、「フロントワイパスイッチ（ＯＮ）操作後、ワイパＥＣＵが信号Ｓ１を受け取れない」が故障の概要である。
【００３９】
（Ａ−２−１−１−１−５．検知範囲表示領域１１６）
検知範囲表示領域１１６（接続関係図表示領域）は、ＤＴＣが検知される検知範囲に関する情報としての検知範囲情報Ｉｄａを図示にて表示する領域である。ここにいう検知範囲とは、個別のＤＴＣが示す異常（又は故障）が生じ得る関連部品を含む範囲である。
【００４０】
上記のように、一般に、ＤＴＣは百を超える数が定義される。このため、ＤＴＣに基づいて、故障の発生に関連する関連部品等を特定することができる。この関連部品等の点検が必要な電気配線の範囲を検知範囲とする。故障が発生する場合、個別の部品に異常がある場合と、ハーネス接続に異常がある場合とが存在する。検知範囲情報Ｉｄａには、ＤＴＣに対応する故障が発生し得る複数の部位の電気的接続関係を示す回路図１３０（接続関係図）が含まれる。
【００４１】
図２の検知範囲表示領域１１６中の回路図１３０（以下「回路図１３０ａ」ともいう。）には、ＤＴＣ「Ｐ１１１１」が示す異常が生じ得る範囲としてワイパの回路部品（フロントワイパモータ、ワイパＥＣＵ等）が示されており、回路図１３０ａにおける破線１３２は、検知範囲を示している。なお、破線１３２で囲まれていないワイパスイッチは、ＤＴＣ「Ｐ１１１１」に対応する部品ではないが、検知範囲を把握し易いように参考部品として表示されている。
【００４２】
（Ａ−２−１−１−１−６．点検部位表示領域１１８）
点検部位表示領域１１８（点検作業表示領域）は、検知範囲表示領域１１６中の回路図１３０における破線１３２で示された検知範囲内の点検部位に関する情報としての点検部位情報Ｉｔｐを表示する領域である。図２の点検部位表示領域１１８は、検知範囲内の点検作業項目を最小の作業項目に区分して、それぞれを独立した選択肢として選択可能に表示する作業項目リスト１５２（以下「リスト１５２」ともいう。）と、この作業項目の選択にあたっての補足説明を表示するリスト説明領域１５０を有する。
【００４３】
作業項目リスト１５２は、点検項目領域１５４とこれに関連付けられた作業項目領域１５６とを並べて表示して構成する。点検項目領域１５４は、点検対象部品を表示する領域であり、図２では、ワイヤハーネス、フロント  ワイパ  モータ及びワイパＥＣＵが具体的な点検項目に該当する。
【００４４】
作業項目領域１５６は、各点検項目に関する点検作業について、それぞれの点検を完結する最小作業に区分した作業項目（又は点検作業）を表示する領域である。図２では、「ワイヤハーネス」に関して「電源ライン／ＧＮＤラインの回路点検」、「Ｓ１ラインの回路点検」が、「フロント  ワイパ  モータ」に関して「フロント  ワイパ  モータの単体点検」が、「ワイパＥＣＵ」に関して「ワイパＥＣＵの点検」が具体的な作業項目に該当する。
【００４５】
リスト説明領域１５０は、リスト１５２に表示された各作業項目を選択するにあたって必要な補足説明がある場合に、その説明を表示する領域である。図２では、各点検項目に対応する作業項目選択にあたって、「ワイパモータが作動する場合、『Ａ』を行う」及び「ワイパモータが作動しない場合、『Ｂ』を行う」という説明が、リスト１５２に関する説明として表示されており、これに対応して、作業項目領域１５６の各作業項目には、リスト説明領域１５０で説明されている作業区分「Ａ」及び「Ｂ」が含まれている。
【００４６】
作業項目領域１５６に含まれる各作業項目は、点検作業の選択肢１５８ａ〜１５８ｄとして、それぞれが独立した操作ボタン（操作機能）として選択操作できるように構成されており、選択肢１５８ａ〜１５８ｄは、後述する図３、図４の各点検作業説明画面２００に設けられた対応する点検作業内容の詳細説明とのリンク表示として機能する。
【００４７】
（Ａ−２−１−１−１−７．故障再現手法表示領域１２０）
故障再現手法表示領域１２０は、ＤＴＣに対応する故障を再現させるための手法（以下「故障再現手法」という。）に関する情報としての故障再現手法情報Ｉｒを表示する領域である。図２では、「ＰＯＷＥＲスイッチをＯＮモード状態で、ワイパスイッチをＬＯ又はＨＩで１０秒以上ＯＮにする」という記載が故障再現手法として表示される。
【００４８】
（Ａ−２−１−１−２．点検作業説明画面２００）
（Ａ−２−１−１−２−１．点検作業説明画面２００の概要）
図３及び図４は、第１故障事例の点検作業説明画面２００の第１例及び第２例を示す図である。以下では、図３及び図４の説明画面２００をそれぞれ点検作業説明画面２００ａ、２００ｂともいう。
【００４９】
図３及び図４の説明画面２００ａ、２００ｂは、図２の点検作業選択画面１００ａと組み合わされる。すなわち、図３の説明画面２００ａは、図２の点検作業選択画面１００ａにおける選択肢１５８ａ又は１５８ｂが選択された場合に最初に表示される画面である。図４の説明画面２００ｂは、図２の点検作業選択画面１００ａにおける選択肢１５８ｃ又は１５８ｄが選択された場合に最初に表示される画面である。
【００５０】
図３及び図４では、説明画面２００ａ、２００ｂの画面全体が１画面として示されており、モニタ４０においても全体が示される。しかしながら、モニタ４０ではその一部のみが表示され、スクロールにより全体が表示されるように構成してもよい。
【００５１】
図３及び図４に示すように、点検作業説明画面２００は、車両情報表示領域２１０と、ＤＴＣ表示領域２１２と、図２の点検作業選択画面１００ａにおける各選択肢（作業項目）１５８ａ、１５８ｂ、１５８ｃ又は１５８ｄに対応する各作業内容が表示されていることを示す点検作業表示領域２１４とを有する。表示領域２１４を各選択肢１５８ａ〜１５８ｄに対応させて区別するため、以下では、４つの表示領域２１４を点検作業表示領域２１４ａ〜２１４ｄ又は表示領域２１４ａ〜２１４ｄともいう。
【００５２】
点検作業説明画面２００の表示領域２１０、２１２の表示内容は、点検作業選択画面１００の表示領域１１０、１１２と同じであり、同一の車両の同一のＤＴＣについての説明資料であることを表示する。点検作業表示領域２１４ａ〜２１４ｄは、点検作業選択画面１００の選択肢１５８ａ〜１５８ｄに対応する点検作業（対象点検作業）の内容を表示する領域である。
【００５３】
（Ａ−２−１−１−２−２．点検作業表示領域２１４）
（Ａ−２−１−１−２−２−１．点検作業表示領域２１４の概要）
点検作業表示領域２１４は、点検作業に関する作業条件や作業要点等の診断作業に関する情報を表示する領域である。図３に示すように、表示領域２１４ａは、選択肢で選択された作業項目を表示する作業項目表示領域２２０と、その作業項目に関する測定作業で必要となる作業条件／作業要点／判定基準を一括して表示する作業内容表示領域２２２と、修理作業表示領域２２８とを有する。
【００５４】
なお、図３における作業内容表示領域２２２は、点検作業表示領域２１４ｂ、２１４ｃにおいては、作業条件のみを表示する作業条件表示領域２２４と、作業要点／判定基準表示領域２２６とに分割して表示されている。
【００５５】
測定作業内容表示領域２３０（以下「表示領域２３０」ともいう。）は、選択された作業項目に関する測定作業条件、作業要点（測定センサの種類及び測定箇所）並びに測定されたデータの判定基準を並べて一括表示（又は図示）する。以下では、点検作業表示領域２１４ａ〜２１４ｃの測定作業内容表示領域２３０をそれぞれ測定作業内容表示領域２３０ａ〜２３０ｃ又は表示領域２３０ａ〜２３０ｃという。
【００５６】
例えば、図３の表示領域２３０ａは、図２の作業項目領域１５６に表示された最小作業項目の選択肢１５８ａ「電源ライン/ＧＮＤラインの回路点検」にリンクする点検作業内容の詳細説明を表示する。点検作業内容は、３つのチェック作業で構成されている。すなわち、イグニッションスイッチ（ＩＧＳＷ）のＯＮ／ＯＦＦとワイパスイッチのＯＮ／ＯＦＦの組み合わせ条件に応じて、フロント  ワイパ  モータの４ピンカプラの端子ピンのうちの指定ピンとアース端子間の電圧又は導通を測定する。これにより、正常時の判定基準表示領域２５６の表示内容を比較して、異常の有無を判別する。
【００５７】
図３の表示領域２３０ａでは、１番ピンとグラウンド（ＧＮＤ）にバッテリ電圧がかかっているか、３番ピンとＧＮＤ間にバッテリ電圧がかかっているか及び２番ピンとＧＮＤ間に導通があるかが正常時の状態の判定基準となる判定条件である。
【００５８】
なお、図３では、２つの選択肢１５８ａ、１５８ｂに対応する２つの点検作業表示領域２１４ａ、２１４ｂが示されている。しかしながら、例えば、選択肢１５８に対応する点検作業表示領域２１４を表示する観点からすれば、これに限らず、例えば１つであっても３つ以上であっても差し支えない。
【００５９】
（Ａ−２−１−１−２−２−２．作業項目表示領域２２０）
作業項目表示領域２２０に表示される表示の内容は、前述のように、点検作業選択画面１００ａの選択肢１５８ａ〜１５８ｄに対応する。例えば、図３の点検作業表示領域２１４ａでは、「電源ライン／ＧＮＤラインの回路点検」が図２の選択肢１５８ａに対応して表示され、点検作業表示領域２１４ｂでは、「Ｓ１ラインの回路点検」が図２の選択肢１５８ｂに対応して表示される。
【００６０】
（Ａ−２−１−１−２−２−３．作業内容表示領域２２２）
作業内容表示領域２２２は、チェック作業名表示領域２５０と、作業条件表示領域２５２と、作業要点表示領域２５４と、判定基準表示領域２５６とを備える。以下では、各領域を表示領域２５０、２５２、２５４、２５６ともいう。
【００６１】
チェック作業名表示領域２５０は、チェック作業の名称（チェック作業名）を表示する領域である。図３では、「電源（ＬＯ）ライン回路点検」、「電源（ＨＩ）ライン回路点検」、「電源（ＧＮＤ）ライン回路点検」がそれぞれチェック作業名に該当し、この３つの作業で、作業項目表示領域２２０に表示された最小の作業項目である「電源ライン／ＧＮＤラインの回路点検」を構成するものである。
【００６２】
作業条件表示領域２５２は、チェック作業を行う条件（以下「作業条件」という。）の情報としての作業条件情報Ｉｃを表示する領域である。例えば図３では、イグニッションスイッチ（ＩＧＳＷ）のＯＮ／ＯＦＦ状態と、ワイパスイッチのＯＮ／ＯＦＦ状態が作業条件として示されている。より具体的には、電源（ＬＯ）ライン又は電源（ＨＩ）ラインの回路点検を行う場合、「ＩＧＳＷがＯＮ」及び「ワイパスイッチＯＮ（ＬＯ又はＨＩ）」が作業条件となる。また、電源（ＧＮＤ）ラインの回路点検を行う場合、「ＩＧＳＷがＯＦＦ」及び「ワイパスイッチＯＦＦ」が作業条件となる。
【００６３】
作業要点表示領域２５４（以下「表示領域２５４」ともいう。）は、点検作業の要点（以下「作業要点」という。）の情報としての作業要点情報Ｉｐを表示する領域である。例えば図３において、上側の表示領域２５４は、ピン名称２６０ａ、ピン配置図２６２ａ及び測定説明図２６４ａ〜２６４ｃを作業要点情報Ｉｐとして含む。
【００６４】
ピン名称２６０ａは、点検作業を行うピンの名称を示す。図３では例えば「フロント  ワイパ  モータ（４Ｐ）  メス端子／端子側」がピン名称２６０ａである。ピン配置図２６２ａは、ピン名称２６０ａで特定されるピンの配置を示す図である。
【００６５】
測定説明図２６４ａ〜２６４ｃは、測定センサの種類及び測定箇所を示す。例えば、図３の測定説明図２６４ａでは、１番ピンとグラウンド（ＧＮＤ）の間を電圧計で測定することを示す。測定説明図２６４ｂは、３番ピンとグラウンドの間を電圧計で測定することを示す。また、測定説明図２６４ｃでは、２番ピンとグラウンドの間を抵抗計で測定することを示す。
【００６６】
判定基準表示領域２５６は、点検作業による判定基準の情報としての判定基準情報Ｉｓを表示する領域である。図３の点検作業表示領域２１４ａでは、正常時の状態として「バッテリ電圧」又は「導通あり」が判定基準情報Ｉｓとして示されている。
【００６７】
（Ａ−２−１−１−２−２−４．作業条件表示領域２２４）
図３の点検作業表示領域２１４ａでは、作業内容表示領域２２２が作業条件、作業要点及び判定基準をまとめて一括表示した。これに対し、図３及び図４の点検作業表示領域２１４ｂ、２１４ｃでは、作業条件表示領域２２４が作業条件を表示し、作業要点／判定基準表示領域２２６が作業要点及び判定基準を表示する。なお、図４の点検作業表示領域２１４ｄには、作業条件表示領域２２４がない（作業条件が必要ないため、表示されていない。）。
【００６８】
図３の作業条件表示領域２２４では、「ＩＧスイッチ  ＯＦＦ」及び「ワイパスイッチ  ＯＦＦ」が、測定作業内容表示領域２３０ｂの点検作業を行う場合の測定の作業条件である。図４の表示領域２２４では、「回路のヒューズ溶断が無いこと」、「ヒューズ溶断がある場合は回路の点検を行う」及び「必要に応じてフロント  ワイパ  モータを取り外す」が、測定作業内容表示領域２３０ｃの点検作業を行う場合の測定の作業条件である。
【００６９】
（Ａ−２−１−１−２−２−５．作業要点／判定基準表示領域２２６）
作業要点／判定基準表示領域２２６は、作業内容表示領域２２２と同様に、チェック作業名表示領域２５０と、作業要点表示領域２５４と、判定基準表示領域２５６とを備える。
【００７０】
図３のチェック作業名表示領域２５０では、「Ｓ１ライン断線点検」及び「Ｓ１ライン短絡点検」がそれぞれチェック作業名に該当し、この２つの作業で作業項目表示領域２２０に表示された最小の作業項目である「Ｓ１ラインの回路点検」を構成する。図４のチェック作業名表示領域２５０では、「モータ（ＬＯ）駆動点検」、「モータ（ＨＩ）駆動点検」、「モータ内部回路点検」がそれぞれチェック作業名に該当し、この３つの作業で作業項目表示領域２２０に表示された最小の作業項目である「フロント  ワイパ  モータの単体点検」を構成する。
【００７１】
また、図３及び図４の作業要点表示領域２５４は、ピン名称２６０ａ、２６０ｂと、ピン配置図２６２ａ、２６２ｂと、測定説明図２６４ｄ〜２６４ｈとを作業要点情報Ｉｐとして含む。
【００７２】
（Ａ−２−１−１−２−２−６．修理作業表示領域２２８）
修理作業表示領域２２８は、点検作業の結果、異常が見つかった場合の修理作業の情報としての修理作業情報Ｉｒｐを表示する領域である。例えば、図３の点検作業表示領域２１４ａ、２１４ｂの場合、「異常な配線を修理する」が修理作業情報Ｉｒｐである。
【００７３】
（Ａ−２−１−２．第２故障事例）
次に、第２故障事例として、ＤＴＣ「Ｐ２２２２」（フロント  ヘッドライト  レベリングセンサ回路異常）が検出された場合を説明する。第１故障事例（図２〜図４）の構成要素と同様の構成要素には同様の参照符号を付して詳細な説明を省略する。
【００７４】
（Ａ−２−１−２−１．点検作業選択画面１００）
図５は、本実施形態の点検作業選択画面１００の第２例を示す図である。図５の選択画面１００は、図示しないフロントヘッドライトのレベリングセンサで回路異常が生じた場合の点検作業を選択するための画面である。以下では、図５の選択画面１００を特に点検作業選択画面１００ｂ又は選択画面１００ｂともいう。
【００７５】
図５のＤＴＣ表示領域１１２では、「Ｐ２２２２」がＤＴＣであり、「フロント  ヘッドライト  レベリング  センサ回路異常」がＤＴＣ名である。図５の故障概要表示領域１１４では、「ヘッドライト  オート  レベリング  コントロールユニットが、フロント  ヘッドライト  レベリング  センサの回路異常を検知した」が故障の概要である。
【００７６】
図５の検知範囲表示領域１１６中の回路図１３０（以下「回路図１３０ｂ」ともいう。）には、ＤＴＣ「Ｐ２２２２」が示す異常が生じ得る範囲としてフロントヘッドライトの回路部品（フロント  ヘッドライト  レベリングセンサ、ヘッドライト  オート  レベリング  コントロールユニット等）が示されており、回路図１３０ｂにおける破線１３２は、検知範囲を示している。なお、ヘッドライト  オート  レベリング  コントロールユニットの電源ライン／信号ライン／ＧＮＤライン側は、ＤＴＣ「Ｐ２２２２」に対応する部分である。一方、同コントロールユニットの内部は、破線１３２で囲まれていないため、ＤＴＣ「Ｐ２２２２」に対応する部分ではないが、検知範囲を把握し易いように参考部品として表示されている。
【００７７】
点検部位表示領域１１８（点検作業表示領域）に関し、図５には、リスト説明領域１５０（図２）が存在しない。作業項目リスト１５２及び点検項目領域１５４に関し、図５では、ワイヤハーネス及びヘッドライト  レベリングセンサが具体的な点検項目に該当する。
【００７８】
作業項目領域１５６に関し、図５では、「電源ラインの回路点検」、「信号ラインの回路点検」、「ＧＮＤラインの回路点検」及び「フロント  ヘッドライト  レベリング  センサの点検」が具体的な作業項目に該当する。そして、これらの作業項目が、点検作業の選択肢１５８ｅ〜１５８ｈとして機能する。
【００７９】
故障再現手法表示領域１２０に関し、図５では、「ＰＯＷＥＲスイッチを『ＯＦＦモード』から『ＯＮモード』にする」という記載が故障再現手法である。
【００８０】
（Ａ−２−１−２−２．点検作業説明画面２００）
図６及び図７は、第２故障事例の点検作業説明画面２００の第３例及び第４例を示す図である。以下では、図６及び図７の説明画面２００をそれぞれ点検作業説明画面２００ｃ、２００ｄ又は説明画面２００ｃ、２００ｄともいう。
【００８１】
図６及び図７の説明画面２００ｃ、２００ｄは、図５の点検作業選択画面１００ｂと組み合わされる。すなわち、図６の説明画面２００ｃは、図５の選択画面１００ｂにおける選択肢１５８ｅ又は１５８ｆが選択された場合に最初に表示される画面である。図７の説明画面２００ｄは、図５の選択画面１００ｂにおける選択肢１５８ｇ又は１５８ｈが選択された場合に最初に表示される画面である。
【００８２】
図６及び図７の４つの表示領域２１４を点検作業表示領域２１４ｅ〜２１４ｈ又は表示領域２１４ｅ〜２１４ｈともいう。点検作業表示領域２１４ｅ〜２１４ｈは、点検作業選択画面１００の選択肢１５８ｅ〜１５８ｈに対応する点検作業（対象点検作業）の内容を表示する領域である。
【００８３】
図６及び図７の点検作業表示領域２１４ｅ〜２１４ｇでは、作業条件表示領域２２４が作業条件を表示し、作業要点／判定基準表示領域２２６が作業要点及び判定基準を表示する。なお、図７の点検作業表示領域２１４ｈには、作業条件表示領域２２４がない。
【００８４】
図６及び図７の表示領域２２４では、「ＩＧスイッチ−−−ＯＦＦ」が作業条件である。
【００８５】
図６及び図７の作業内容表示領域２３０を作業内容表示領域２３０ｄ〜２３０ｆ又は表示領域２３０ｄ〜２３０ｆという。表示領域２３０ｄ〜２３０ｆでは、ピン名称２６０ｃ、２６０ｄ、ピン配置２６２ｃ、２６２ｄ及び測定説明図２６４ｉ〜２６４ｎが示されている。
【００８６】
［Ａ−２−２．事前準備］
次に、上述した点検作業選択画面１００及び点検作業説明画面２００を含む電子マニュアル９０（図９）を用いるための事前準備について説明する。作業者８４が電子マニュアル９０を利用するための事前準備として、端末１２のマニュアルＤＢ５０中のマニュアルデータＤｍ、逐次定期的に又は使用の度毎に最新のものに更新しておくことが好ましい。マニュアルファイルＦｍの更新に際しては、端末１２からサーバ１４に接続し、更新された又は新たに加えられたマニュアルファイルＦｍの有無を確認する。更新された又は新たに加えられたマニュアルファイルＦｍがある場合、サーバ１４から端末１２に対して当該マニュアルファイルＦｍをダウンロードする。
【００８７】
なお、端末１２の記憶部３８にマニュアルＤＢ５０を記憶せず、電子マニュアル９０の利用時にサーバ１４からマニュアルファイルＦｍを取得する場合、上記の事前準備は不用である。
【００８８】
また、電子マニュアル９０を利用する前に、作業者８４は、故障診断機としての端末１２又は別の故障診断機を用いて、診断対象となる車両８０のＥＣＵ８６に記憶されている故障コード（ＤＴＣ）を読み出しておく。
【００８９】
［Ａ−２−３．実際の利用時における全体的な流れ］
図８は、本実施形態において電子マニュアル９０を実際に利用する際の全体的な流れを示すフローチャートである。図９は、本実施形態の電子マニュアル９０における画面のリンク表示の様子を説明する図である。
【００９０】
図８のステップＳ１において、ユーザとしての作業者８４は、端末１２の操作入力部３４を操作して、車両８０が該当する車種（対象車種）の電子マニュアルファイルＦｍを開く。
【００９１】
電子マニュアルファイルＦｍを開いた直後の初期画面として、演算部３６は、ＤＴＣ入力画面（図示せず）をモニタ４０に表示させる。ＤＴＣ入力画面には、ＤＴＣを入力するＤＴＣ入力領域と、入力したＤＴＣを確定する確定ボタンとが含まれる。
【００９２】
ステップＳ２において、作業者８４は、車両８０のＥＣＵ８６から読み出したＤＴＣをＤＴＣ入力領域に入力して確定ボタンを押す。これに対応して、演算部３６は、入力されたＤＴＣに対応する点検作業選択画面１００（図２及び図５）をモニタ４０に表示させる。
【００９３】
点検作業選択画面１００（以下「選択画面１００」ともいう。）は、それぞれ独立した点検作業項目として表示される各選択肢１５８ａ〜１５８ｄ（図２）、１５８ｅ〜１５８ｈ（図５）を含む画面（点検作業選択画面）である。
【００９４】
ステップＳ３において、作業者８４は、点検作業選択画面１００に表示されている各選択肢１５８の選択に当たって、故障概要表示領域１１４に表示された故障の概要と、検知範囲表示領域１１６に表示された前記故障コードが検知される場合に点検が必要となる関連部品等の電気配線の範囲と、点検部位表示領域１１８に表示された点検項目（各部品）毎に区分された各最小の作業項目同士を比較検討する。さらには車両８０の状態や車両８０のユーザから得た故障発生時の情報等を総合的に判断して、作業者８４が関心を有するものを選択する。これに対応して、演算部３６は、選択された選択肢１５８に対応する点検作業説明画面２００（図３、図４、図６、図７）を表示させる。点検作業説明画面２００（以下「説明画面２００」ともいう。）は、選択された選択肢１５８に対応する点検作業（以下「対象点検作業」又は「対象作業」ともいう。）の詳細を説明する画面である。
【００９５】
ステップＳ４において、作業者８４は、表示された点検作業説明画面２００を参照して対象作業の内容を把握して、実際に対象作業を行う。なお、点検の結果、正常であった場合には、作業者８４は、点検作業説明画面２００における戻るボタン（図示せず）を選択して、点検作業選択画面１００に戻って、次にどの作業項目を行うかを上記と同様の観点で検討し、作業項目を選択して点検作業を行う。
【００９６】
＜Ａ−３．本実施形態の効果＞
以上のように、本実施形態によれば、点検作業選択画面１００において、ＤＴＣ（故障コード）に対応する故障の概要と、ＤＴＣが検知される検知範囲の回路図１３０と、ＤＴＣに対応し且つ検知範囲内の点検作業項目を最小の作業項目に区分した複数の選択肢１５８とを表示する（図２及び図５）。このため、ＤＴＣに対応する点検作業の概要を速やかに理解させるための情報項目を、１つの画面１００上にまとめて表示できる。
【００９７】
ＤＴＣは、数百を超える多数が存在しており、ＤＴＣやその名称だけでは、プロフェッショナルでも判断できない。本実施形態によれば、作業者８４（ユーザ）は、通常ＤＴＣだけでは認識し難い対象部品やその作業の概要を、画面を一瞥することで素早く認識可能となる。従って、作業者８４は、ＤＴＣに対応する故障診断に必要な作業工程、工数及び難易度を大まかに把握することができ、修理時間又は見積もりを顧客に対して速やかに提示することが可能となる。
【００９８】
また、ＤＴＣに対応付けられ且つ検知範囲の回路図１３０中の各部品に関して区分された複数の点検作業の選択肢１５８を、最小の点検作業単位で、作業者８４が選択可能に表示する（図２及び図５）。このため、作業者８４は、故障の原因箇所の点検作業を最小の点検作業単位で予め認識することができる。従って、作業者８４は、通常の常識的な点検作業順に拘泥することなく、個々のスキル又は知見を活かして、独自に点検作業手順を決めることができ、顧客情報等を踏まえた臨機応変な診断作業を行うことが可能になる。よって、故障診断の作業効率を大きく改善可能となる。
【００９９】
本実施形態では、検知範囲の対象部品の電気的接続関係を示す回路図１３０を用いる（図２及び図５）。作業項目を、対象部品毎に分類して表示する（図２及び図５）。これにより、作業者８４（ユーザ）は、点検作業選択画面１００において、ＤＴＣに対応する故障が発生した回路の全体構成及び個別部品の把握が容易になる。従って、点検作業選択画面１００において、ＤＴＣに対応する、対象部品レベルでの最小の点検作業単位で点検作業を選択することができ、当該回路における故障発生箇所を推定し易くなり、特にスキルの高い作業者８４にとっては、故障発生箇所の絞り込みが容易となる。
【０１００】
本実施形態において、点検作業説明画面２００は、選択された作業項目に関する測定作業の作業要点及び測定されたデータの判定基準を一括して表示する作業内容表示領域２３０と、判定基準が満たされない場合の修理作業の内容を表示する修理作業表示領域２２８とを含む（図３、図４、図６及び図７）。
【０１０１】
これにより、選択された作業項目に関する測定作業の作業要点（測定センサの種類及び測定箇所）並びに測定されたデータの判定基準を並べる等によって一括して表示するため、作業者８４（ユーザ）は、選択された作業項目の作業内容を一見して把握することと、判定基準が満たされない場合の修理作業の内容を直ちに認識することができる。
【０１０２】
Ｂ．変形例
なお、本発明は、上記実施形態に限らず、本明細書の記載内容に基づき、種々の構成を採り得ることはもちろんである。例えば、以下に示す構成を採ることができる。
【０１０３】
＜Ｂ−１．適用対象＞
上記実施形態では、電子マニュアル表示システム１０又は電子マニュアル表示方法を、車両８０に適用した（図１）。しかしながら、例えば、点検作業選択画面１００と点検作業説明画面２００を用いる観点（図２〜図９）からすれば、これに限らない。例えば、車両８０以外の装置（例えば、船舶、航空機等の移動体、ロボット、製造装置、又は家電製品）に用いることもできる。
【０１０４】
＜Ｂ−２．電子マニュアル表示システム１０の構成＞
上記実施形態では、端末１２を販売店Ａ、Ｂに属する販売店端末とした（図１）。しかしながら、例えば、点検作業選択画面１００と点検作業説明画面２００を用いる観点（図２〜図９）からすれば、これに限らない。例えば、インターネット接続された個人端末としてもよい。
【０１０５】
上記実施形態では、端末１２で用いるマニュアルファイルＦｍは、サーバ１４からダウンロードして端末１２の記憶部３８に記憶したものを用いた（図１）。しかしながら、例えば、点検作業選択画面１００と点検作業説明画面２００を用いる観点（図２〜図９）からすれば、これに限らない。例えば、記録媒体（ＵＳＢメモリ等）を介してマニュアルファイルＦｍを記憶部３８に記憶してもよい。或いは、ダウンロードを伴わないいわゆるＡＳＰ（Application Service Provider）型でサーバ１４のマニュアルファイルＦｍを利用するものであってもよい。
【０１０６】
＜Ｂ−３．電子マニュアル９０＞
［Ｂ−３−１．電子マニュアル９０全般］
上記実施形態の電子マニュアル９０では、１つの点検作業選択画面１００に２つの点検作業説明画面２００を対応させた（図２〜図９）。しかしながら、例えば、点検作業選択画面１００と点検作業説明画面２００の利用に着目すれば、これに限らない。例えば、１つの点検作業選択画面１００に１つ又は３つ以上の点検作業説明画面２００を対応させてもよい。
【０１０７】
［Ｂ−３−２．点検作業選択画面１００］
上記実施形態の点検作業選択画面１００では、選択肢１５８をリンク表示とした（図２及び図５）。しかしながら、例えば、点検作業選択画面１００と点検作業説明画面２００とを関連付ける観点からすれば、これに限らない。例えば、各選択肢１５８の表示に隣接するチェックボックスをチェックした状態で実行ボタンを押すことで、点検作業選択画面１００と点検作業説明画面２００とを関連付けることも可能である。或いは、図示しないマイクロフォンを介して音声入力により選択肢１５８の選択を行うことも可能である。
【０１０８】
上記実施形態の点検作業選択画面１００には、ＤＴＣに対応する故障が発生し得る複数の部位の電気的接続関係を示す回路図１３０を含めた（図２及び図５）。しかしながら、例えば、故障が発生し得る複数の部位の物理的接続関係を示す接続関係図を、ＤＴＣに対応する故障の概要（表示領域１１４）及び選択肢１５８と併せて表示する観点からすれば、これに限らない。
【０１０９】
例えば、回路図１３０以外の接続関係図を検知範囲表示領域１１６（接続関係図表示領域）に表示させてもよい。そのような接続関係図としては、例えば、各種の部品の組立て図（アセンブリ図）とすることができる。
【０１１０】
［Ｂ−３−３．点検作業説明画面２００］
上記実施形態では、点検作業選択画面１００においていずれかの選択肢１５８が選択されると、点検作業選択画面１００を点検作業説明画面２００に切り替えた（図９）。しかしながら、例えば、選択肢１５８が選択されると点検作業の具体的説明を行う観点からすれば、これに限らない。例えば、点検作業選択画面１００上に点検作業説明画面２００を重畳させて表示してもよい。或いは、点検作業選択画面１００の表示内容と点検作業説明画面２００の表示内容を並べて（又は同時に）モニタ４０に表示することも可能である。
【符号の説明】
【０１１１】
３６…演算部（電子マニュアル制御装置）
４０…モニタ（表示装置）            ８０…車両
８４…作業者（ユーザ）              ８６…ＥＣＵ
９０…電子マニュアル
１００、１００ａ、１００ｂ…点検作業選択画面
１１４…故障概要表示領域
１１６…検知範囲表示領域（接続関係図表示領域）
１１８…点検部位表示領域（点検作業表示領域）
１３０、１３０ａ、１３０ｂ…回路図（接続関係図）
１５８ａ〜１５８ｈ…選択肢
２００、２００ａ〜２００ｄ…点検作業説明画面
２２８…修理作業表示領域            ２３０…測定作業内容表示領域
【図１】
0006633966.tif 000002
【図２】
0006633966.tif 000003
【図３】
0006633966.tif 000004
【図４】
0006633966.tif 000005
【図５】
0006633966.tif 000006
【図６】
0006633966.tif 000007
【図７】
0006633966.tif 000008
【図８】
0006633966.tif 000009
【図９】
0006633966.tif 000010